(57)【特許請求の範囲】
【請求項１】
先行および後行のコンクリートを打ち継いで構築されるコンクリート構造体の継手部に設けられて内外の止水および当該継手部の相対変位を可能とする可撓止水継手であって、
前記先行および後行のコンクリート構造体に打設により埋設固定される先行打設固定部および後行打設固定部と、
これら先行打設固定部および後行打設固定部の間に設けられ止水および相対変位を可能とする伸縮部と、
これら先行打設固定部、後行打設固定部および伸縮部の外側に設けられて内表面が前記可撓止水継手の外表面と略合致して形状保持可能に取り付けられるとともに、外表面が前記コンクリート構造体の外面と略面一となる発泡材で形成された発泡支持部材と、
を備えてなることを特徴とする可撓止水継手。
【請求項２】
前記先行および後行打設固定部を、板状の側面シール部と、この側面シール部から突き出したアンカー部とを備えて構成してなることを特徴とする請求項１記載の可撓止水継手。
【請求項３】
前記側面シール部を、前記継手部に対向して形成される継手斜面に対応した角度に形成してなることを特徴とする請求項２記載の可撓止水継手。
【請求項４】
前記伸縮部が、中空逆台形状、Ｗ字形状、逆Ｕ字形状のいずれかの断面形状で構成されてなることを特徴とする請求項1〜３のいずれかに記載の可撓止水継手。
【請求項５】
前記継手部の上部に配置される前記可撓止水継手に、上下に貫通するエアー抜き用の貫通孔を設けてなることを特徴とする請求項1〜４のいずれかに記載の可撓止水継手。
【請求項６】
先行および後行のコンクリートを打ち継いで構築されるコンクリート構造体の継手部に設けられて内外の止水および当該継手部の相対変位を可能とする可撓止水継手を施工するに際し、
先行のコンクリート構造体の打設用の妻型枠に、発泡材による発泡支持部材で形状が保持された前記可撓止水継手を、支持部材を介して支持した後、先行のコンクリートを打設して先行打設固定部を埋設固定し、次いで、前記支持部材を取り除いて後行のコンクリートを打設して後行打設固定部を埋設固定するようにしたことを特徴とする可撓止水継手の施工方法。
【請求項７】
前記支持部材に、位置調整機構を設けて前記可撓止水継手の支持位置を調整して先行のコンクリートを打設するようにしたことを特徴とする請求項６記載の可撓止水継手の施工方法。
【請求項８】
前記コンクリート構造体の下部の施工に際し、均しコンクリート上に防水シートを敷設した後、前記発泡支持部材の外面を載置するようにしたことを特徴とする請求項６または７記載の可撓止水継手の施工方法。
【請求項９】
前記コンクリート構造体の上部の施工に際し、前記可撓止水継手に上下に貫通するエアー抜き用の貫通孔を設けてコンクリートを打設したのち、貫通孔を塞ぐとともに防水シートを設けるようにしたことを特徴とする請求項６〜８のいずれかに記載の可撓止水継手の施工方法。
【請求項１０】
前記先行のコンクリートを打設後、前記妻型枠に替えて発泡目地材を設けて後行のコンクリートを打設するようにしたことを特徴とする請求項６〜９のいずれかに記載の可撓止水継手の施工方法。
【発明の詳細な説明】
【技術分野】
【０００１】
この発明は、可撓止水継手およびその施工方法に関し、コンクリートを打ち継いで構築される、水路、水処理施設、トンネル、共同溝などのコンクリート構造体の継手部の止水および相対変位を可能とする可撓止水継手の施工における準備作業を簡素化できるようにしたものである。
【背景技術】
【０００２】
コンクリートを打ち継いで構築されるコンクリート構造体である水路や水槽あるいは共同溝等の地中に構築される暗渠などの壁部分の継手部には、内外を止水するとともにその両側のコンクリート構造体の地震時変位並びに温度変化等に起因する壁部分の伸縮等を許容する必要があり、止水板などの可撓止水継手が介設されている。
【０００３】
このようなコンクリート構造体の継手部に介設する可撓止水継手としては、例えば特許文献１に開示された止水板１があり、図９（ａ）に示すように、中空部２の両端に複数本の係止凸条部３を備えて構成され、それぞれの端部の係止凸条部３を打設されるコンクリート内に埋設して固定するようにしている。
【０００４】
また、共同溝などのコンクリート構造体用の可撓止水継手として、例えば特許文献２に開示された可撓ゴム継手６があり、図１０（ａ）に示すように、略逆Ｕ字状の湾曲部７と、湾曲部７の両開口端間を一体的に接続して、湾曲部７を挟んで断面略Ｖ字状に固定される一対のフランジ部８とを備えて構成され、同図（ｂ）に示すように、フランジ部８に取り付けたアンカーボルト９を打設するコンクリート内に埋設して固定するようにしている。
【特許文献１】特開平９−１０５１６６号公報
【特許文献２】特開２００２−１６７７８９号公報
【発明の開示】
【発明が解決しようとする課題】
【０００５】
ところが、このような特許文献１や特許文献２の可撓止水部材１，６では、コンクリートの打設前に、可撓止水部材１，６を所定の位置に保持する必要があるが、これら可撓止水部材１，６自体の剛性が低く形状を保持することができないという問題がある。
【０００６】
そこで、特許文献１の止水板１の場合には、図９（ｂ）に示すように、先行のコンクリート側の係止凸条部３を補強用の鉄筋４に吊り下げるようにするとともに、後でコンクリートに埋設される係止凸条部３を板材などの保持材５で保持する必要があり、コンクリート打設前の準備作業が大変であり、手間と時間がかかるという問題がある。
【０００７】
また、特許文献２の可撓ゴム継手６では、図１０（ｂ）に示すように、フランジ部８にアンカーボルト９を取り付けた状態でアンカーボルト９と鉄筋４とを継手１０を介して溶接するとともに、一対のフランジ部８の外側に間隔保持材１１を取り付けて角度を保持できるようにしており、この場合もコンクリート打設前の準備作業が大変であり、手間と時間がかかるという問題がある。
【０００８】
この発明は、かかる従来技術の問題に鑑みてなされたものであって、形状保持性を付与することでコンクリートを打ち継いで構造体を構築する場合のコンクリート打設前の準備作業を簡単かつ短時間に行うことができる可撓止水継手およびその施工方法を提供しようとするものである。
【課題を解決するための手段】
【０００９】
上記課題を解決するためこの発明の請求項１記載の可撓止水継手は、先行および後行のコンクリートを打ち継いで構築されるコンクリート構造体の継手部に設けられて内外の止水および当該継手部の相対変位を可能とする可撓止水継手であって、前記先行および後行のコンクリート構造体に打設により埋設固定される先行打設固定部および後行打設固定部と、これら先行打設固定部および後行打設固定部の間に設けられ止水および相対変位を可能とする伸縮部と、これら先行打設固定部、後行打設固定部および伸縮部の外側に設けられて内表面が前記可撓止水継手の外表面と略合致して形状保持可能に取り付けられるとともに、外表面が前記コンクリート構造体の外面と略面一となる発泡材で形成された発泡支持部材と、を備えてなることを特徴とするものである。
【００１０】
この可撓止水継手によれば、先行および後行のコンクリートを打ち継いで構築されるコンクリート構造体の継手部に設けられて内外の止水および当該継手部の相対変位を可能とする可撓止水継手であって、前記先行および後行のコンクリート構造体に打設により埋設固定される先行打設固定部および後行打設固定部と、これら先行打設固定部および後行打設固定部の間に設けられ止水および相対変位を可能とする伸縮部と、これら先行打設固定部、後行打設固定部および伸縮部の外側に設けられて内表面が前記可撓止水継手の外表面と略合致して形状保持可能に取り付けられるとともに、外表面が前記コンクリート構造体の外面と略面一となる発泡材で形成された発泡支持部材と、を備えており、可撓止水継手の外側に設けた発泡支持部材で形状を保持するとともに、コンクリートの流入を防止でき、しかも発泡支持部材自体の圧縮変形能によって可撓止水継手の変形性能を維持できるようになる。また、形状を保持した可撓止水継手を、支持部材を介して妻型枠に支持してコンクリートを打設することで、発泡支持部材の外表面が構築すべきコンクリート構造体の継手部の外面と略面一にできるようになる。これにより、可撓止水継手のコンクリート打設前の取り付けなどの準備作業を簡単かつ短時間に行うことができるようになる。
【００１１】
また、この発明の請求項２記載の可撓止水継手は、請求項１記載の構成に加え、前記先行および後行打設固定部を、板状の側面シール部と、この側面シール部から突き出したアンカー部とを備えて構成してなることを特徴とするものである。
【００１２】
この可撓止水継手によれば、前記先行および後行打設固定部を、板状の側面シール部と、この側面シール部から突き出したアンカー部とを備えて構成してあり、側面シール部でコンクリート構造体の外側面側の止水などができると同時にコンクリートの打設によってアンカー部が埋設固定され、簡単に施工することができるようになる。
【００１３】
さらに、この発明の請求項３記載の可撓止水継手は、請求項２記載の構成に加え、前記側面シール部を、前記継手部に対向して形成される継手斜面に対応した角度に形成してなることを特徴とするものである。
【００１４】
この可撓止水継手によれば、前記側面シール部を、前記継手部に対向して形成される継手斜面に対応した角度に形成してあり、コンクリート構造体の継手部が対向する継手斜面で構成される場合にも側面シール部が対応する角度となり、可撓止水継手をそのまま打設して固定することで簡単に施工することができるようになる。
【００１５】
また、この発明の請求項４記載の可撓止水継手は、請求項1〜３のいずれかに記載の構成に加え、前記伸縮部が、中空逆台形状、Ｗ字形状、逆Ｕ字形状のいずれかの断面形状で構成されてなることを特徴とするものである。
【００１６】
この可撓止水継手によれば、前記伸縮部が、中空逆台形状、Ｗ字形状、逆Ｕ字形状のいずれかの断面形状で構成してあり、十分な伸縮代を確保して継手部の変位を吸収することができるようになる。
【００１７】
さらに、この発明の請求項５記載の可撓止水継手は、請求項１〜４のいずれかに記載の構成に加え、前記継手部の上部に配置される前記可撓止水継手に、上下に貫通するエアー抜き用の貫通孔を設けてなることを特徴とするものである。
【００１８】
この可撓止水継手によれば、前記継手部の上部に配置される前記可撓止水継手に、上下に貫通するエアー抜き用の貫通孔を設けてあり、可撓止水継手の下側に回り込んで溜まるエアーを排出することができ、コンクリートが空気によって入り込まなくなることもなく、止水性の低下を防止できるようになる。
【００１９】
また、この発明の請求項６記載の可撓止水継手の施工方法は、先行および後行のコンクリートを打ち継いで構築されるコンクリート構造体の継手部に設けられて内外の止水および当該継手部の相対変位を可能とする可撓止水継手を施工するに際し、先行のコンクリート構造体の打設用の妻型枠に、発泡材による発泡支持部材で形状が保持された前記可撓止水継手を、支持部材を介して支持した後、先行のコンクリートを打設して先行打設固定部を埋設固定し、次いで、前記支持部材を取り除いて後行のコンクリートを打設して後行打設固定部を埋設固定するようにしたことを特徴とするものである。
【００２０】
この可撓止水継手の施工方法によれば、先行および後行のコンクリートを打ち継いで構築されるコンクリート構造体の継手部に設けられて内外の止水および当該継手部の相対変位を可能とする可撓止水継手を施工するに際し、先行のコンクリート構造体の打設用の妻型枠に、発泡材による発泡支持部材で形状が保持された前記可撓止水継手を、支持部材を介して支持した後、先行のコンクリートを打設して先行打設固定部を埋設固定し、次いで、前記支持部材を取り除いて後行のコンクリートを打設して後行打設固定部を埋設固定するようにしており、可撓止水継手の外側に設けた発泡支持部材で形状を保持した可撓止水継手を、支持部材を介して妻型枠に支持してコンクリートを打設することで、可撓止水継手のコンクリート打設前の取り付けなどの準備作業を簡単かつ短時間に行うことができるようになる。これにより、発泡支持部材でコンクリートの流入を防止でき、しかも発泡支持部材自体の圧縮変形能によって可撓止水継手の変形性能を維持できるようになる。
【００２１】
さらに、この発明の請求項７記載の可撓止水継手の施工方法は、請求項６記載の構成に加え、前記支持部材に、位置調整機構を設けて前記可撓止水継手の支持位置を調整して先行のコンクリートを打設するようにしたことを特徴とするものである。
【００２２】
この可撓止水継手の施工方法によれば、前記支持部材に、位置調整機構を設けて前記可撓止水継手の支持位置を調整して先行のコンクリートを打設するようにしており、妻型枠に取り付けた支持部材の位置調整機構を介して可撓止水継手の取り付け位置を調整することで、一層施工前の準備が容易にできるようになる。
【００２３】
また、この発明の請求項８記載の可撓止水継手の施工方法は、請求項６または７記載の構成に加え、前記コンクリート構造体の下部の施工に際し、均しコンクリート上に防水シートを敷設した後、前記発泡支持部材の外面を載置するようにしたことを特徴とするものである。
【００２４】
この可撓止水継手の施工方法よれば、前記コンクリート構造体の下部の施工に際し、均しコンクリート上に防水シートを敷設した後、前記発泡支持部材の外面を載置するようにしており、コンクリート構造体の下部に対しても防水シートの取り付けが容易にでき、止水性を向上することができるようになる。
【００２５】
さらに、この発明の請求項９記載の可撓止水継手の施工方法は、請求項６〜８のいずれかに記載の構成に加え、前記コンクリート構造体の上部の施工に際し、前記可撓止水継手に上下に貫通するエアー抜き用の貫通孔を設けてコンクリートを打設したのち、貫通孔を塞ぐとともに防水シートを設けるようにしたことを特徴とするものである。
【００２６】
この可撓止水継手の施工方法によれば、前記コンクリート構造体の上部の施工に際し、前記可撓止水継手に上下に貫通するエアー抜き用の貫通孔を設けてコンクリートを打設したのち、貫通孔を塞ぐとともに防水シートを設けるようにしており、可撓止水継手の下側に回り込んで溜まるエアーを排出することができ、コンクリートが空気によって入り込まなくなることを防止でき、打設施工後に貫通孔を塞ぎ、防水シートを設けることで、止水性も確保することができるようになる。
【００２７】
また、この発明の請求項１０記載の可撓止水継手の施工方法は、請求項６〜９のいずれかに記載の構成に加え、前記先行のコンクリートを打設後、前記妻型枠に替えて発泡目地材を設けて後行のコンクリートを打設するようにしたことを特徴とするものである。
【００２８】
この可撓止水継手の施工方法によれば、前記先行のコンクリートを打設後、前記妻型枠に替えて発泡目地材を設けて後行のコンクリートを打設するようにしており、速やかに後行のコンクリートを打設することができるようになる。
【発明の効果】
【００２９】
この発明の請求項１記載の可撓止水継手によれば、先行および後行のコンクリートを打ち継いで構築されるコンクリート構造体の継手部に設けられて内外の止水および当該継手部の相対変位を可能とする可撓止水継手であって、前記先行および後行のコンクリート構造体に打設により埋設固定される先行打設固定部および後行打設固定部と、これら先行打設固定部および後行打設固定部の間に設けられ止水および相対変位を可能とする伸縮部と、これら先行打設固定部、後行打設固定部および伸縮部の外側に設けられて内表面が前記可撓止水継手の外表面と略合致して形状保持可能に取り付けられるとともに、外表面が前記コンクリート構造体の外面と略面一となる発泡材で形成された発泡支持部材と、を備えて構成したので、可撓止水継手の外側に設けた発泡支持部材で形状を保持することができるとともに、コンクリートの流入を防止することができ、しかも発泡支持部材自体の圧縮変形能によって可撓止水継手の変形性能を維持することができる。また、形状を保持した可撓止水継手を、支持部材を介して妻型枠に支持してコンクリートを打設することで、発泡支持部材の外表面が構築すべきコンクリート構造体の継手部の外面と略面一にすることができる。これにより、可撓止水継手のコンクリート打設前の取り付けなどの準備作業を簡単かつ短時間に行うことができる。
【００３０】
また、この発明の請求項２記載の可撓止水継手によれば、前記先行および後行打設固定部を、板状の側面シール部と、この側面シール部から突き出したアンカー部とを備えて構成したので、側面シール部でコンクリート構造体の外側面側の止水などができると同時にコンクリートの打設によってアンカー部が埋設固定され、簡単に施工することができる。
【００３１】
さらに、この発明の請求項３記載の可撓止水継手によれば、前記側面シール部を、前記継手部に対向して形成される継手斜面に対応した角度に形成したので、コンクリート構造体の継手部が対向する継手斜面で構成される場合にも側面シール部が対応する角度となり、可撓止水継手をそのまま打設して固定することで簡単に施工することができる。
【００３２】
また、この発明の請求項４記載の可撓止水継手によれば、前記伸縮部が、中空逆台形状、Ｗ字形状、逆Ｕ字形状のいずれかの断面形状で構成したので、十分な伸縮代を確保して継手部の変位を吸収することができる。
【００３３】
さらに、この発明の請求項５記載の可撓止水継手によれば、前記継手部の上部に配置される前記可撓止水継手に、上下に貫通するエアー抜き用の貫通孔を設けたので、可撓止水継手の下側に回り込んで溜まるエアーを排出することができ、コンクリートが空気によって入り込まなくなることもなく、止水性が低下することを防止することができる。
【００３４】
また、この発明の請求項６記載の可撓止水継手の施工方法によれば、先行および後行のコンクリートを打ち継いで構築されるコンクリート構造体の継手部に設けられて内外の止水および当該継手部の相対変位を可能とする可撓止水継手を施工するに際し、先行のコンクリート構造体の打設用の妻型枠に、発泡材による発泡支持部材で形状が保持された前記可撓止水継手を、支持部材を介して支持した後、先行のコンクリートを打設して先行打設固定部を埋設固定し、次いで、前記支持部材を取り除いて後行のコンクリートを打設して後行打設固定部を埋設固定するようにしたので、可撓止水継手の外側に設けた発泡支持部材で形状を保持した可撓止水継手を、支持部材を介して妻型枠に支持してコンクリートを打設することで、可撓止水継手のコンクリート打設前の取り付けなどの準備作業を簡単かつ短時間に行うことができる。これにより、発泡支持部材でコンクリートの流入を防止でき、しかも発泡支持部材自体の圧縮変形能によって可撓止水継手の変形性能を維持することができる。
【００３５】
さらに、この発明の請求項７記載の可撓止水継手の施工方法によれば、前記支持部材に、位置調整機構を設けて前記可撓止水継手の支持位置を調整して先行のコンクリートを打設するようにしたので、妻型枠に取り付けた支持部材の位置調整機構を介して可撓止水継手の取り付け位置を調整することができ、一層施工を容易にすることができる。
【００３６】
また、この発明の請求項８記載の可撓止水継手の施工方法よれば、前記コンクリート構造体の下部の施工に際し、均しコンクリート上に防水シートを敷設した後、前記発泡支持部材の外面を載置するようにしたので、コンクリート構造体の下部に対しても防水シートの取り付けが容易にでき、止水性を向上することができる。
【００３７】
さらに、この発明の請求項９記載の可撓止水継手の施工方法によれば、前記コンクリート構造体の上部の施工に際し、前記可撓止水継手に上下に貫通するエアー抜き用の貫通孔を設けてコンクリートを打設したのち、貫通孔を塞ぐとともに防水シートを設けるようにしたので、可撓止水継手の下側に回り込んで溜まるエアーを排出することができ、コンクリートが空気によって入り込まなくなることを防止でき、しかも打設施工後に貫通孔を塞ぎ、防水シートを設けることで、止水性も確保することができる。
【００３８】
また、この発明の請求項１０記載の可撓止水継手の施工方法によれば、前記先行のコンクリートを打設後、前記妻型枠に替えて発泡目地材を設けて後行のコンクリートを打設するようにしたので、速やかに後行のコンクリートを打設することができる。
【発明を実施するための最良の形態】
【００３９】
以下、この発明の実施の形態について、図面に基づき詳細に説明する。  
図１および図２はこの発明の可撓止水継手の一実施の形態にかかり、図１は可撓止水継手が設けられるコンクリート構造体の概略斜視図、図２（ａ）は可撓止水継手の部分横断面図、図２（ｂ）は可撓止水継手の施工後の取付状態の部分横断面図で、図３および図４はこの発明の可撓止水継手の施工方法の一実施の形態にかかり、図３（ａ）は上部の施工状態の横断面図、図３（ｂ）は（ａ）中のＡ矢視図、図４はそれぞれ側部および下部の施工状態の横断面図で、図５は位置調整機構を備える支持部材の概略説明図である。
【００４０】
この可撓止水継手２０は、コンクリートを打ち継いで構築されるコンクリート構造体１２，１３の継手部１４を止水するとともに、継手部１４の両側のコンクリート構造体１２，１３の相対変位を可能とするものである。
【００４１】
コンクリート構造体の一例である共同溝では、断面形状が矩形で所定長さの函体１２，１３が継手部１４で連結されて構成されており、開削工法によって均しコンクリート１５の上面に現場打ちによって所定長さ毎（函体毎）に継手部１４を介設して打ち継がれて構築され、完成後は所定深さの地中に埋め戻されるものである。
【００４２】
このようなコンクリート構造体１２、１３の継手部１４に設けられる可撓止水継手２０は、図２に示すように、いわゆる外防水型止水板と称されるものであり、先行打設固定部２１および後行打設固定部２２を備え、これら先行打設固定部２１と後行打設固定部２２との間に伸縮することで止水と相対変位を許容する伸縮部２３とを備え、ゴムや合成樹脂などの可撓性素材によって横断面方向には一体的に形成され、長手方向には、分割されたものを継手部１４の形状に合わせて工場や現場で環状などに成形されるとともに、これら先行打設固定部２１と後行打設固定部２２と伸縮部２３との形状を保持するため、これらの外側に配置されて接着や部分接着される発泡材で作られた発泡支持部材２４を備えて構成されている。
【００４３】
この可撓止水継手２０の先行打設固定部２１および後行打設固定部２２は、それぞれ先に打設される先行コンクリート構造体１２および後に打設する後行コンクリート構造体１３の側面に当てられる板状の側面シール部２１ａ，２２ａを備え、それぞれの側面シール部２１ａ、２２ａからコンリート構造体１２、１３内に向かうように突き出してアンカー部２１ｂ、２２ｂが２条ずつ形成してあり、先端部に膨らんだ膨出部２１ｃ、２２ｃが形成して構成してある。そして、継手部１４の端面に近いアンカー部および膨出部が端面より遠い内側のものより大きくしてあり、コンクリートの打設によって埋設固定する際に、強固に埋設固定できるようにしてある。
【００４４】
また、それぞれの側面シール部２１ａ、２２ａの内側面には、ブチルシート２１ｄ、２２ｄが設けてあり、その粘着力で接着され、コンクリート構造体１２、１３と先行打設固定部２１および後行打設固定部２２との間の止水性を確保できるようにしてある。
【００４５】
このような先行打設固定部２１と後行打設固定部２２の間に設けられる可撓性止水継手２０の伸縮部２３は、中空の略逆台形状の横断面形状とされ、外側となる逆台形底部分(図の紙面上部)が先行打設固定部２１および後行打設固定部２２の側面シール部２１ａ、２２ａの外側面と略面一となるように配置されて連続するようになっており、伸縮部２３の逆台形天部分(図の紙面下部)が継手部１４の内側に突き出すように形成してある。そして、伸縮部２３の中空部の肉厚が外側となる逆台形底部分(図の紙面上部)だけを他の部分に比べて薄くしてあり、変位の吸収を大きくできるようにしてある。
【００４６】
このような弾性材料で構成され一直線上に配置されて連続する先行打設固定部２１と後行打設固定部２２と、その間の伸縮部２３は、剛性が低くそのままでは、形状を保持することが困難で、例えば先行打設固定部２１を水平に支持すると、伸縮部２３や他端部の後行打設固定部２２が下に垂れ下がってしまい、コンクリート打設前の可撓止水継手２０の取り付けが大変となる。
【００４７】
そこで、この可撓止水継手２０では、発泡支持部材２４が可撓止水継手２０の外側に接着や部分接着で形状を保持できるように取り付けてある。この発泡支持部材２４は、発泡材、例えばスポンジゴムや発泡スチロールなどで作られ、その剛性で可撓止水継手２０の形状を保持できる厚さとされ、内側面が可撓止水継手２０の外表面である先行打設固定部２１と後行打設固定部２２と、その間の伸縮部２３との外表面と略合致した形状とされ、外表面がコンクリート構造体１２、１３の外面と面一となる形状とされ、コンクリート構造体が完成した場合に凹凸などができないようにしてある。
【００４８】
この発泡支持部材２４と可撓止水継手２０の先行打設固定部２１と後行打設固定部２２と、その間の伸縮部２３との接着は、施工の際に形状を保持できれば良く、施行後は接着されずに分離された状態でも支障はなく、全面接着したり、部分接着のいずれでも良い。
【００４９】
次に、このように構成した可撓止水継手２０のコンクリート構造体１２,１３の継手部１４への施工方法について、図３〜図５により説明する。
【００５０】
この可撓止水継手２０では、継手部１４の端面１４ａを形成するため組み立てられる妻型枠１６を利用して可撓止水継手２０を支持するため支持部材２５が用いられ、これまでの鉄筋などに支持固定する場合に比べ、短時間にコンクリートの打設の準備ができるようにしてある。
【００５１】
そこで、この支持部材２５について、図５により説明すると、鋼製型枠である妻型枠１６の端面にボルト１７で取り付けられる固定板部２５ａに垂直に２枚の平行固定板２５ｂが溶接等で取り付けられて継手部１４の端面１４ａと平行に配置され、この２枚の平行固定板２５ｂの間に位置調整機構としてスライド可能に調整板２５ｃが配置され、平行固定板２５ｂの一方の外側に固定したナットにねじ込んだ固定用ボルト２５ｄを貫通させて調整板２５ｃに押し当てて締め付けることで、もう一方の平行固定板２５ｂとで挟んで固定できるようになっている。
【００５２】
そして、この支持部材２５には、調整板２５ｃの先端部に可撓止水継手２０を支える支持板部２５ｅが取り付けられ、可撓止水部材２０の内側形状に対応した形状に形成され、例えば可撓止水継手２０の伸縮部２３および側面シール部２２ａの継手内側面と、伸縮部２３およびアンカー部２２ａの側面とを支持できる略台形状に形成してある。
【００５３】
また、この調整板２５ｃの位置を調整するため、平行固定板２５ｂの上部に直角に突き出したブラケット２５ｆが溶接などで取り付けられてナットが固定され、このナットにねじ込んだ調整用ボルト２５ｇを貫通させて先端部を支持板部２５ｅに当て、調整用ボルト２５ｇの突き出し量を変えることで、可撓止水継手２０の設置位置を調整できるようになっている。これにより、位置調整機構は固定板部２５ａ〜調整用ボルト２５ｇで構成される。
【００５４】
この支持部材２５は、継手部１４の形状に対応した形状とされ、少なくとも固定板部２５ａ、平行固定板２５ｂおよび調整板２５ｃを所定のピッチに配置したり、連続配置する一方、直接可撓止水継手２０を支持する支持板部２５ｅは、支持に必要な所定ピッチあるいは連続したものが使用される。
【００５５】
次に、このような支持部材２５を用いて行う可撓止水継手２０の施工は、継手部１４の端面１４ａを形成する妻型枠１６の外側端面に支持部材２５の固定板部２５ａをボルト１７で固定した後、支持板部２５ｅで支えた可撓止水継手２０の位置を調整用ボルト２５ｇの突き出し量を変えることで調整し、所定位置に調整して固定用ボルト２５ｄを締め付けて固定する。
【００５６】
この場合、コンクリート構造体１２、１３の継手部１４の上部では、図３に示すように、この部分に配置する可撓止水継手２０にエアー抜き孔２６を貫通して形成しておき、コンクリートの打設によって可撓止水継手２０の下側に回り込むエアーを排出できるようにしておく。
【００５７】
この可撓止水継手２０では、図３（ａ）、(ｂ)に示すように、上部に配置される側面シール部２１ａ，２２ａに所定ピッチでエアー抜き孔２６が形成してあり、例えばコンクリート打設側である先行打設固定部２１のエアー抜き孔２６を塞がないように妻型枠１６に取り付けた押え板１８で可撓止水継手２０の上面を押えるようにし、養生後にゴムシート２７を貼り、その外側を防水シート２８で覆うようにする。
【００５８】
また、コンクリート構造体１２、１３の継手部１４の側部では、図４（ａ）に示すように、可撓止水継手２０の発泡支持部材２４の外側に必要に応じて防水シート２８を施工した状態で型枠１９を設置するようにする。
【００５９】
こうすることで、コンクリート構造体１２、１３の側部に接近して土壁がある場合の防水シート２８の施工が容易となる。
【００６０】
さらに、コンクリート構造体１２、１３の継手部１４の下部では、図４（ｂ）に示すように、均しコンクリート１５上に押え板１８を介して妻型枠１６を設置するとともに、均しコンクリート１５上に防水シート２８を敷設した後、可撓止水継手２０の発泡支持部材２４の外側面を載置するようにして支持部材２５で固定するようにする。
【００６１】
こうすることで、コンクリート構造体１２、１３の下部では、防水シート２８の打設後の施工ができなかったものが、容易に施工できるようになる。
【００６２】
このほか、コンクリート構造体１２の構築に必要な型枠を組み立てる。
【００６３】
このような妻型枠１６への支持部材２５の取り付けおよび可撓止水継手２０の取り付けは、妻型枠１６を設置する現場でなくても良く、広いスペースのある場所や妻型枠１６を設置現場の作業容易な位置に移動して行うようにし、可撓止水継手２０を取り付けた後、妻型枠１６ごと所定の位置に設置するようにする。
【００６４】
これにより、従来の先行コンクリートの打設前に鉄筋などに埋設される先行打設固定部を吊り下げるようにするなどの準備作業に比べ、支持部材２５をボルト１７で妻型枠１６に取り付け、この支持部材２５に可撓止水部材２０を取り付けるだけで良く、簡単かつ短時間に準備作業を行うことができる。
【００６５】
こうして可撓止水継手２０を取り付けた先行のコンクリート打設用の型枠を設置したのち、先行コンクリートを打設する（図３および図４参照）。
【００６６】
そして、養生後、支持部材２５を取り外すとともに、妻型枠１６および他の型枠を脱型し、図２(ｂ)に示すように、継手部１４の端面１４ａの妻型枠１６に代えてゴムやスポンジなどの発泡目地材２９を配置し、コンクリート構造体１２の継手部１４の端面１４ａに接着して取り付ける。
【００６７】
この発泡目地材２９により可撓止水継手２０の圧縮変形時の変形抵抗の減少および損傷防止を図るようにする。
【００６８】
こののち、後行のコンクリート構造体１３の構築に必要な型枠を組み立てた後、後行のコンクリートを打設する。この後行のコンクリートの打設の際、上部に配置される後行打設固定部２２の下側に空気が溜まることがあるので、予め形成したエアー抜き孔２６を塞がないようにして打設する。
【００６９】
そして、養生後、型枠を脱型することで継手部１４への可撓止水継手２０の取り付け施工が完了する（図２（ｂ）参照）。
【００７０】
なお、継手部１４の全周、すなわち底部、側面および天面には、防水シート２８を後で取り付けたり、コンクリートの打設の際に取り付けた防水シート２８をつなぎ合わせて取り付け雨水などの浸入を防止する。
【００７１】
この防水シート２８により、コンクリート構造体１２,１３の継手部１４の接続が完了した後、地下構造物とする場合には土砂などで埋め戻されるが、このとき、土砂などが継手部１４に浸入し、可撓止水継手２０に外力が加わるなどの不具合が生じる恐れを防止する。
【００７２】
この可撓止水継手およびその施工方法によれば、可撓止水継手２０の外側に設けた発泡支持部材２４で形状を保持することができるとともに、コンクリートの流入を防止することができ、しかも発泡支持部材２４自体の圧縮変形能によって可撓止水継手２０の変形性能を維持することができる。
【００７３】
また、発泡支持部材２４で形状を保持した可撓止水継手２０を、支持部材２５を介して妻型枠１６にボルト１７で固定してコンクリートを打設することで、発泡支持部材２４の外表面が構築すべきコンクリート構造体１２，１３の継手部１４の外面と略面一にすることができる。
【００７４】
これにより、可撓止水継手２０のコンクリート打設前の取り付けなどの準備作業を簡単かつ短時間に行うことができる。
【００７５】
また、この可撓止水継手２０によれば、先行および後行打設固定部２１，２２を、板状の側面シール部２１ａ，２２ａと、この側面シール部２１ａ，２２ａから突き出したアンカー部２１ｂ，２２ｂおよび膨出部２１ｃ，２２ｃとを備えて構成したので、側面シール部２１ａ，２２ａでコンクリート構造体１２，１３の外側面側の止水などができると同時にコンクリートの打設によってアンカー部２１ｂ，２２ｂおよび膨出部２１ｃ，２２ｃが埋設固定され、特に固定のための作業を必要とせず、簡単に施工することができる。
【００７６】
さらに、この可撓止水継手２０によれば、伸縮部２３を中空逆台形状の断面形状としたので、十分な伸縮代を確保して継手部１４の変位を吸収することができる。
【００７７】
また、この可撓止水継手およびその施工方法によれば、継手部１４の上部に配置される可撓止水継手２０に、上下に貫通するエアー抜き用のエアー抜き孔２６を設けたので、この部分の可撓止水継手２０の下側に回り込んで溜まるエアーを排出することができ、コンクリートが空気によって入り込まなくなることもなく、コンクリートを隙間なく充填することで止水性が低下することを防止することができる。
【００７８】
さらに、この可撓止水継手の施工方法によれば、妻型枠１６に取り付けた支持部材２５の位置調整機構２５ａ〜２５ｇを介して可撓止水継手２０の取り付け位置を調整することができ、一層コンクリート打設前の準備作業を容易とし、施工全体を容易にすることができる。
【００７９】
また、この可撓止水継手の施工方法よれば、コンクリート構造体１２，１３の下部の施工に際して、均しコンクリート１５上に防水シート２８を敷設した後、発泡支持部材２４の外面を載置するようにしたので、コンクリート構造体１２，１３の下部に対しても防水シート２８の取り付けが容易にでき、止水性を向上することができる。
【００８０】
さらに、この可撓止水継手の施工方法によれば、コンクリート構造体１２，１３の上部の施工に際して設けたエアー抜き孔２６を、打設施工後にゴムシート２７で塞ぎ、防水シート２８を設けるようにしたので、エアー抜きを行うことができると同時に、止水性も確保することができる。
【００８１】
また、この可撓止水継手の施工方法によれば、先行のコンクリートを打設後、妻型枠１６に替えて発泡目地材２９を設けて後行のコンクリートを打設するようにしたので、速やかに後行のコンクリートを打設することができる。
【００８２】
次に、この発明の可撓止水継手およびその施工方法を外防水型止水板に適用した他の一実施の形態について、図６および図７により説明する。
【００８３】
この外防水型止水板で構成する可撓止水継手３０では、図６(ａ)に示すように、先行コンクリートに打設によって埋設固定される先行打設固定部３１と、後行コンクリートに打設によって埋設固定される後行打設固定部３２と、これらの間に配置される略逆Ｕ字状の伸縮部３３と、これら先行打設固定部３１、後行打設固定部３２および伸縮部３３の外側に取り付けられて形状を保持する発泡材で作られた発泡支持部材３４と、を備えて構成されている。
【００８４】
この可撓止水継手３０では、先行打設固定部３１および後行打設固定部３２が同一形状とされ、先行および後行のコンクリート構造体１２，１３の継手部１４の外周のＶ字状の傾斜面１２ａ，１３ａに当てられる先端部を屈曲させた側面シール部３１ａ，３２ａと、外側面がこれら側面シール部３１ａ，３２ａと略直交するとともに、傾斜面１２ａ，１３ａに略垂直で内側面が互いに略直線状の板状のアンカー部３１ｂ，３２ｂを備え、それぞれの板状のアンカー部３１ｂ，３２ｂの先端部に両外側に膨らんだ膨出部３１ｃ，３２ｃを備えている。
【００８５】
そして、これら先行打設固定部３１と後行打設固定部３２の間に横断面形状が略逆Ｕ字状の伸縮部３３が配置され、開口端部に先行打設固定部３１および後行打設固定部３２の内側端部がそれぞれ連結されて一体に形成されている。
【００８６】
また、この可撓止水継手３０では、先行打設固定部３１および後行打設固定部３２の側面シール部３１ａ，３２ａのコンクリート構造体１２，１３側にそれぞれブチルシート３１ｄ，３２ｄが取り付けられ、コンクリートとの間の止水性を確保できるようにしてある。
【００８７】
そして、この可撓止水継手３０の外側に接着や部分接着で形状を保持できるように取り付けてある発泡支持部材３４は、発泡材、例えばスポンジゴムや発泡スチロールなどで作られ、その剛性で可撓止水継手３０の形状を保持できる厚さとされ、内側面が可撓止水継手３０の外表面である先行打設固定部３１と後行打設固定部３２と、その間の伸縮
部３３との外表面と略合致した形状とされ、外表面がコンクリート構造体１２、１３の外面と面一となる形状とされる。
【００８８】
なお、ここでは、側面シール部３１ａ、３２ａと伸縮部３３とのそれぞれの空間に横断面形状が略三角形のもの３４ａが、その外側に伸縮部３３の逆Ｕ字状の円弧部に対応する厚さの分割した薄板状のもの３４ｂが、さらにその外側に先行打設固定部３１と後行打設固定部３２とに跨るよう連続した厚板状のもの３４ｃが配置されて構成してあり、コンクリート構造体が完成した場合に凹凸などができないようにしてある。
【００８９】
この発泡支持部材３４は、分割構造とする場合に限らず一体構造であっても良く、また発泡支持部材２４と同様に、可撓止水継手３０の先行打設固定部３１と後行打設固定部３２と、その間の伸縮部３３との接着は、施工の際に形状を保持できれば良く、施行後は接着されずに分離された状態でも支障はなく、全面接着したり、部分接着のいずれでも良い。
【００９０】
次に、このように構成した可撓止水継手３０のコンクリート構造体１２,１３の継手部１４への施工方法について、図６および図７により説明するが、上記実施の形態と同一部分は、同一記号を記し、重複する説明は省略する。
【００９１】
この可撓止水継手３０の施工は、すでに説明した可撓止水継手２０と略同様に支持部材２５を用いて施工されるが、可撓性止水継手３０の形状が異なることから、支持部材２５の支持板部２５ｅ’が後行側の板状のアンカー部３２ｂを支える板状に形成してある。
【００９２】
このような支持板部２５ｅ’を備えた支持部材２５を用いて行う可撓止水継手３０の施工は、すでに説明した可撓止水継手２０と同様にして行われ、継手部１４の端面１４ａを形成する妻型枠１６の外側端面に支持部材２５の固定板部２５ａをボルト１７で固定した後、支持板部２５ｅ’で支えた可撓止水継手３０の位置を調整用ボルト２５ｇの突き出し量を変えることで調整し、所定位置に調整して固定用ボルト２５ｄを締め付けて固定する。
【００９３】
この場合、コンクリート構造体１２、１３の継手部１４の上部では、図６（ｂ）に示すように、この部分に配置する可撓止水継手３０に、コンクリート打設養生後に、その外側を防水シート２８で覆うようにする。
【００９４】
また、コンクリート構造体１２、１３の継手部１４の側部では、図７（ａ）に示すように、さらに継手部１４の下部では、図７（ｂ）に示すように、可撓止水継手２０の場合と同様に施工することができる
なお、このような妻型枠１６への支持部材２５の取り付けおよび可撓止水継手３０の取り付けは、妻型枠１６を設置する現場でなくても良く、広いスペースのある場所や妻型枠１６を設置現場の作業容易な位置に移動して行うようにし、可撓止水継手３０を取り付けた後、妻型枠１６ごと所定の位置に設置するようにする。
【００９５】
これにより、従来の先行コンクリートの打設前に鉄筋などに埋設される先行打設固定部を吊り下げるようにするなどの準備作業に比べ、支持部材２５をボルト１７で妻型枠１６に取り付け、この支持部材２５の支持板部２５ｅ’に可撓止水部材３０を取り付けるだけで良く、簡単かつ短時間に準備作業を行うことができる。
【００９６】
こうして可撓止水継手２０を取り付けた先行のコンクリート打設用の型枠を設置したのち、先行コンクリートを打設し、養生後、支持部材２５を取り外すとともに、妻型枠１６および他の型枠を脱型し、図６(ａ)に示すように、継手部１４の端面１４ａの妻型枠１６に代えてゴムやスポンジなどの発泡目地材３５を配置し、コンクリート構造体１２の継手部１４の端面１４ａに接着して取り付けて可撓止水継手３０の圧縮変形時の変形抵抗の減少および損傷防止を図るようにする。
【００９７】
こののち、後行のコンクリート構造体１３の構築に必要な型枠を組み立てた後、後行のコンクリートを打設し、養生後、型枠を脱型することで継手部１４への可撓止水継手３０の取り付け施工が完了する（図６（ａ）参照）。
【００９８】
なお、継手部１４の全周、すなわち底部、側面および天面には、防水シート２８を後で取り付けたり、コンクリートの打設の際に取り付けた防水シート２８をつなぎ合わせて取り付け雨水などの浸入を防止する。
【００９９】
この防水シート２８により、コンクリート構造体１２,１３の継手部１４の接続が完了した後、地下構造物とする場合には土砂などで埋め戻されるが、このとき、土砂などが継手部１４に浸入し、可撓止水継手３０に外力が加わるなどの不具合が生じる恐れを防止する。
【０１００】
この可撓止水継手およびその施工方法によれば、可撓止水継手３０の外側に設けた発泡支持部材３４で形状を保持することができるとともに、コンクリートの流入を防止することができ、しかも発泡支持部材３４自体の圧縮変形能によって可撓止水継手３０の変形性能を維持することができる。
【０１０１】
また、発泡支持部材３４で形状を保持した可撓止水継手３０を、支持部材２５を介して妻型枠１６にボルト１７で固定してコンクリートを打設することで、発泡支持部材３４の外表面が構築すべきコンクリート構造体１２，１３の継手部１４の外面と略面一にすることができる。
【０１０２】
これにより、可撓止水継手３０のコンクリート打設前の取り付けなどの準備作業を簡単かつ短時間に行うことができる。
【０１０３】
さらに、この可撓止水継手３０によれば、伸縮部３３を逆Ｕ字形状の断面形状としたので、十分な伸縮代を確保して継手部１４の変位を吸収することができるほか、すでに説明した可撓止水継手２０およびその施工方法と同一の作用効果を奏する。
【０１０４】
次に、この発明の可撓止水継手の他の実施の形態について、図８により説明する。
図８(ａ)に示す可撓止水継手３０Ａは、可撓止水継手３０の側面シール部３１ａ、３２ａの先端屈曲部を省略したもので、先端が楔状に尖らせてある点で異なる。
【０１０５】
なお、他の構成は、すでに説明した可撓止水継手３０と同一であり、施工も同一の方法で行うことができる。
【０１０６】
このように構成した可撓止水継手３０Ａによっても、可撓止水継手３０Ａの外側に設けた発泡支持部材３４で形状を保持することができるとともに、コンクリートの流入を防止することができ、しかも発泡支持部材３４自体の圧縮変形能によって可撓止水継手３０Ａの変形性能を維持することができるほか、すでに説明した可撓止水継手３０と同一の作用効果を奏するものである。
【０１０７】
次に、  図８(ｂ)に示す可撓止水継手４０について説明する。
この可撓止水継手４０は、すでに説明した可撓止水継手２０の中空逆台形状の伸縮部２３に代えて可撓止水継手３０，３０Ａの逆Ｕ字形状の伸縮部３３を組み合わせて構成したものであり、先行打設固定部４１と後行打設固定部４２の間に横断面形状が略Ｗ字形状の伸縮部４３が連続して一体の形状となっている。
【０１０８】
そして、この可撓止水継手４０では、発泡支持部材４４として、Ｗ字形状の２つの谷部分にそれぞれ断面長方形状の薄板状のもの４４ａが、その外側に側面シール部４１ａ、４２ａに跨る連続した断面長方形状の厚板状のもの４４ｂがそれぞれ配置されて構成してあり、可撓止水継手４０の形状を保持できるように全面接着あるいは部分接着で取り付けてある。
【０１０９】
なお、アンカー部４１ｂ，４２ｂ、膨出部４１ｃ,４２ｃ、ブチルシート４１ｄ，４２ｄ,など他の構成は、すでに説明した可撓止水継手２０、３０、３０Ａと同一であり、施工も同一の方法で行うことができる。
【０１１０】
このように構成した可撓止水継手４０によっても、可撓止水継手４０の外側に設けた発泡支持部材４４で形状を保持することができるとともに、コンクリートの流入を防止することができ、しかも発泡支持部材４４自体の圧縮変形能によって可撓止水継手４０の変形性能を維持することができるほか、すでに説明した可撓止水継手２０、３０、３０Ａと同一の作用効果を奏するものである。
【図面の簡単な説明】
【０１１１】
【図１】この発明の可撓止水継手の一実施の形態にかかる可撓止水継手が設けられるコンクリート構造体の概略斜視図である。
【図２】この発明の可撓止水継手の一実施の形態にかかり、（ａ）は可撓止水継手の部分横断面図、（ｂ）は可撓止水継手の施工後の取付状態の部分横断面図である。
【図３】この発明の可撓止水継手の施工方法の一実施の形態にかかり、（ａ）は上部の施工状態の横断面図、（ｂ）は（ａ）中のＡ矢視図である。
【図４】この発明の可撓止水継手の施工方法の一実施の形態にかかるそれぞれ側部および下部の施工状態の横断面図である。
【図５】この発明の可撓止水継手の一実施の形態にかかる位置調整機構を備える支持部材の概略説明図である。
【図６】この発明の可撓止水継手の他の一実施の形態にかかり、（ａ）は可撓止水継手の部分横断面図、（ｂ）は可撓止水継手の上部の施工状態の横断面図である。
【図７】この発明の可撓止水継手の施工方法の他の一実施の形態にかかるそれぞれ側部および下部の施工状態の横断面図である。
【図８】この発明の可撓止水継手の一実施の形態にかかり、(ａ)他の実施の形態にかかる部分横断面図、（ｂ）はさらに他の実施の形態にかかる部分横断面図である。
【図９】従来の止水板の横断面図およびその施工方法の説明図である。
【図１０】従来の可撓止水継手の正面図およびその施工方法の説明図である。
【符号の説明】
【０１１２】
１２        コンクリート構造体
１２ａ      傾斜面
１３        コンクリート構造体
１３ａ      傾斜面
１４        継手部
１４ａ      端面
１５        均しコンクリート
１６        妻型枠
１７        ボルト
１８        押え板
１９        型枠
２０        可撓止水継手
２１        先行打設固定部
２１ａ      側面シール部
２１ｂ      アンカー部
２１ｃ      膨出部
２１ｄ      ブチルシート
２２        後行打設固定部
２２ａ      側面シール部
２２ｂ      アンカー部
２２ｃ      膨出部
２２ｄ      ブチルシート
２３        伸縮部
２４        発泡支持部材
２５        支持部材
２５ａ      固定板部
２５ｂ      平行固定板
２５ｃ      調整板
２５ｄ      固定用ボルト
２５ｅ      支持板部
２５ｆ      ブラケット
２５ｇ      調整用ボルト
２６        エアー抜き孔
２７        ゴムシート
２８        防水シート
２９        発泡目地材
３０        可撓止水継手
３１        先行打設固定部
３２        後行打設固定部
３３        伸縮部
３４        発泡支持部材
３５        発泡目地材
３０Ａ      可撓止水継手
４０        可撓止水継手
４１        先行打設固定部
４２        後行打設固定部
４３        伸縮部
４４        発泡支持部材
【図１】
0004448066.tif 000002
【図２】
0004448066.tif 000003
【図３】
0004448066.tif 000004
【図４】
0004448066.tif 000005
【図５】
0004448066.tif 000006
【図６】
0004448066.tif 000007
【図７】
0004448066.tif 000008
【図８】
0004448066.tif 000009
【図９】
0004448066.tif 000010
【図１０】
0004448066.tif 000011